(57)【要約】【課題】製造をより困難にせずに、より良好な取扱いを許容し、方向に関してより高い精度を提供する歯インプラントアナログを実現する。【解決手段】指示素子２２，２３を備えた細長い円筒形本体１１を有する歯インプラントアナログ１０。円筒形本体の遠位端１２は支台部のための接続インターフェース２０となっており、近位端１６は外面にねじ２８を有する。指示素子２２，２３は本体の外面に取付けられ、深さ停止素子１８が本体の外面に設けられている。【選択図】図１
2016513508.tif 000002
【特許請求の範囲】
【請求項１】
細長い円筒形本体を備える歯インプラントアナログであって、支台部と接続される接続インターフェースを有する遠位端と、外面にねじが形成された近位端とを有し、前記本体の外面に取付けられた指示素子と、前記本体の外面に設けられた深さ停止素子とをさらに有する、歯インプラントアナログ。
【請求項２】
前記指示素子が少なくとも一つのカムを備えている、請求項１に記載の歯インプラントアナログ。
【請求項３】
前記指示素子が前記本体の円周方向に分散配置される３つのカムを備えている、請求項１又は請求項２に記載の歯インプラントアナログ。
【請求項４】
前記深さ停止素子が縦軸に対して垂直な円周方向において延びる環状ステップ面として設計されている、請求項１から請求項３のいずれか１項に記載の歯インプラントアナログ。
【請求項５】
前記ステップ面が前記本体の直径の変さらにより形成される、請求項４に記載の歯インプラントアナログ。
【請求項６】
前記指示素子が前記接続インターフェースの素子に対して整列配置される、請求項１ないし請求項５のいずれか１項に記載の歯インプラントアナログ。
【請求項７】
前記本体の外面のねじと嵌合するように設計された固定素子を含む、請求項１ないし請求項６のいずれか１項に記載の歯インプラントアナログ。
【請求項８】
前記固定素子が一方の端に前記外面のねじと嵌合する内ねじを有し、他端においてねじ込み素子を有する、請求項７に記載の歯インプラントアナログ。
【請求項９】
前記ねじ込み素子が六角ソケットツールのためのインターフェースとして設計されている、請求項８に記載の歯インプラントアナログ。
【請求項１０】
前記接続インターフェースが支台部の人工歯根ネジおよび回転保護素子に適合するように設計されている、請求項１ないし請求項９のいずれか一項に記載の歯インプラントアナログ。
【請求項１１】
前記円筒形本体が少なくとも部分的に適合することができるスリーブを有する、請求項１ないし請求項１０のいずれか１項に記載の歯インプラントアナログ。
【請求項１２】
その内面において、前記スリーブが、前記指示素子とともに、指示と、回転からの保護とを提供する幾何学的形状を有する、請求項１１に記載の歯インプラントアナログ。
【請求項１３】
外面に、前記スリーブが少なくとも一つの平らにされた部分を有する、請求項１１または請求項１２に記載の歯インプラントアナログ。
【発明の詳細な説明】
【技術分野】
【０００１】
本発明は歯インプラントアナログに関するものである。
【背景技術】
【０００２】
歯インプラントアナログは、一般に公知である。それらは、例えば、歯の模型において支台部（abutment）を受けるために用いられる。歯インプラントアナログは、歯の模型において、患者の顎骨への歯の植立をシミュレーションするものである。
【発明の概要】
【発明が解決しようとする課題】
【０００３】
既存の歯インプラントアナログが実際には役立つと判明しているにもかかわらず、特にそれらの取扱いおよびそれらの方向（orientation）の精度に関して、なんらかの改良の必要性が残っている。
【０００４】
従って、本発明の目的は、製造をより困難にせずに、例えば、より良好な取扱いを許容し、方向に関してより高い精度を提供する歯インプラントアナログを利用可能とすることである。
【課題を解決するための手段】
【０００５】
前記目的は、請求項１記載の特徴を有する歯インプラントアナログにより達成される。
【０００６】
本発明による歯インプラントアナログは、細長い円筒形本体を備え、該本体は、末端に支台部のための接続インターフェースを有し、近位端の外面にねじを有し、さらには本体の外面に取付けられた指示素子を有し、かつ、本体の外面に設けられた深さ方向の停止素子を有する。
【０００７】
さらなる実施例は、各従属クレームに記載される。
【０００８】
上述した特徴および以下で説明される特徴が、それぞれあげられた組合せだけでなく他の組合わせにも、または単独でも、本発明の要旨を逸脱しない限り採用されることはいうまでもない。
【０００９】
本発明の更なる利点および実施例は、以下の説明から、そして、添付図面から明白になるであろう。
【図面の簡単な説明】
【００１０】
【図１】本発明による歯インプラントアナログを示すいくつかの図である。
【図２】さし込まれた歯インプラントアナログの断面を示す図である。
【図３】歯インプラントアナログのための台（seat）の概略を示す図である。
【図４】固定素子を有する歯インプラントアナログの概略を示す図である。
【図５】スリーブが取付けられた歯インプラントアナログを示すいくつかの図である。
【発明を実施するための形態】
【００１１】
本発明を、実施例に基づいて、そして、図面を参照して以下、さらに詳細に説明する。
図１は、参照番号１０により示される歯インプラントアナログのいくつかの図を示す。この種の歯インプラントアナログ（以下「アナログ」と略記される）は、例えば、歯の模型に挿入するために提供される。この模型において、アナログは患者の歯インプラントをシミュレーションすることを目的とする。それにより、支台部をアナログに導くことができて、光学的に走査されることができ、および／または、模型において取扱われることができる。
【００１２】
アナログ１０は、例えば金属製で、細長い円筒形本体１１として設計される。本体１１は、いくつかの連続した縦部分１２、１４および１６に分けられる。そこにおいて、遠位縦部分１２が、本体１１の一方の端に位置する。
【００１３】
接続インターフェース２０（それは図１ｂに明示されている）が、遠位縦部分１２に設けられている。この接続インターフェースは、選ばれた歯植立／支台部システムに応じて設計されている。すなわち、換言すれば、接続インターフェースは、回転保護素子および歯植立ねじに適合される。この接続インターフェースは、いかなる所望の構成でもとり得るので、ここではこれ以上の詳細を述べない。
【００１４】
第２の縦部分１４は、前記遠位縦部分に隣接して、遠位縦部分より小さな直径を有し、その結果、環状のステップ面１８が形成される。このステップ面１８は、アナログ１１の縦軸Ｌに垂直に広がっている。ステップ面１８は、深さ方向の停止素子１９として機能する。
【００１５】
指示素子（indexing element）２２が、その長手方向に沿って好ましくは不変の直径を有する第２の縦部分１４に設けられている。この指示素子２２は、好ましくは円周方向に好ましくは非対称的に分布されて、縦部分１４の外部表面から突出するいくつかのカム２３を伴う。３つの不規則に配置されたカム２３が設けられていることが望ましい。これらのカム２３は、一方では回転から保護し、そして、一方では歯の模型への正確および明白な位置（回転位置）決めを行うことを目的とする。
【００１６】
図１ｅを見ればわかるように、カム２３は平面図に示すように互いに１２０度の角度で外へ伸びている２つの表面２６を有する。２つの表面２６を有するカム２３は、歯の模型の中に対応して設計されている溝と合致するように設計される。
【００１７】
この中央の縦部分に、表面にねじ２８を有する近位縦部分１６すなわち第３の縦部分が隣接している。この表面のねじ２８により、アナログは、固定ナットを介して歯の模型の中で固定されることができる。表面のねじ２８には、固定ナットのねじ込み量を制限する停止部が形作られている。この停止部はしたがって、ねじ上の固定ナットの所定の位置を保証する。その理由は、固定ナットはこの停止部までしかねじ込まれることができないからである。
【００１８】
この種の歯の模型を、図２の一部に、参照符号３０により模式的に示す。歯の模型３０において、アナログ１０のための孔（bore）３２が設けられていて、それは３つの縦の領域３４、３６および３８に分けられる。平面視して、第１の縦領域３４はアナログの遠位縦部分１２の外径に合致する直径を有する。その一方で、第２の縦領域３６は前記中央の縦部分１４に適合している。これは、第１の縦領域３４が第２の縦領域３６より大きな内径を有することを意味する。すなわち、停止面４０が形成される。第２の縦領域３６の直径は第３の縦領域３８の直径より小さい。これにより、停止面４２がここでも形成される。
【００１９】
そのうえ、第２の縦領域３６では、最適に構成された溝４４がカム２３ごとに形成されている。これにより、孔３２におけるアナログの正確な位置決めを確実にすることができる。カム２３の配置および数は、アナログが１つだけの回転位置で孔３２に嵌入されることができるように選択される。設けられている３本の溝４４が、図３に明示されている。
【００２０】
縦方向Ｌにおける正確な位置決めは、設けられている停止面４０がアナログ１０のステップ面１８に係止することによって確実になされる。停止面４０はこのようにして、アナログ１０が孔３２の中にどれくらい挿入されるかをあらかじめ決定する。
【００２１】
アナログ１０は、固定素子５０によって、孔３２の中で固定されることができる。このための固定素子５０はアナログ１０の外側のねじ２８に適合する内ねじ５２が形成された孔を有する。さらに固定素子５０は、道具（tool）のためのインターフェース（interface）５４を有する。このインターフェースは、六角形のキーを受けるように好ましくは設計されている。
【００２２】
図２からも見られるように、固定素子５０の直径は孔の第２の縦領域３６の直径より大きいので、アナログ１０が固定されるときに、固定素子５０は停止面４２に係止する。さらに、固定素子は例えば外面のねじに設けられている停止部４３によっても止まる。固定素子が中にねじ込まれるにつれて、停止面４２の材料がわずかに降伏することがあるという事実によって、外面のねじに割り当てられた停止部４３によっても停止は遂行される。
【００２３】
アナログ１０を歯の模型３０に挿入するために、それは、上から孔３２に嵌入される。その場合、カム２３が対応する溝４４に係合するように、回転位置を選択しなければならない。カムが溝に係合したあとでも、縦方向の運動はまだ可能である。しかし、アナログの回転はもはや可能でない。アナログが停止面４０に当たるとすぐに、アナログは端位置に到達し、固定素子５０を中でねじ込むことによって、アナログは固定される。
【００２４】
支台部は接続インターフェース２０を介して、特に患者の口腔の位置に正確に対応する位置で、歯の模型３０のアナログ１０に接続される。
【００２５】
図５において、すでに説明したアナログ１０が、スリーブ７０を伴って示されている。このスリーブ７０は、管の形状に設計されて、外部表面に、各々の反対側に存在する２つの平らにされた部分７４を有する。これらの平らにされた部分７４は、下の領域（すなわち固定素子５０を向く領域）に設けられていて、縦方向において、スリーブ７０の中心より下に延びている。これらの平らにされた部分は、石膏模型で、指示（indexing）のために、および、回転から保護するために、用いることができる。
【００２６】
スリーブ７０の長さは、例えば、それがステップ面１８からねじ２８までのアナログ１０の長さに対応するように選択される。換言すれば、スリーブ７０の長さは、アナログ１０の第２部分１４の長さに対応する。
【００２７】
スリーブの内部は２つの縦部分、すなわち、下側部の縦部分７６と上側の縦部分７８に分けられる。下側の縦部分７６は実質的に円形の横断面を有し、上側の縦部分７８はカム２３に適合する幾何学的形状を有する。本実施例では、上側の縦部分７８の横断面は、異なる半径を有する２つの領域８２、８４から成り立つ。領域８２の半径Ｒ１は、他の領域８４の半径Ｒ２より小さい。より小さい半径Ｒ１はアナログの外面の半径に適合している。その一方で、より大きな半径はカムのある領域でのアナログの半径に適合している。
【００２８】
上の縦部分７８におけるスリーブ７０の内部の幾何学的形状は、スリーブが好ましくは１つだけの所定の回転位置で下からアナログ１０に、合わせることができるように設計されている。
【００２９】
このスリーブ７０は、石膏模型においてアナログが用いられるときに、カム２３が石膏によって囲まれアナログの取り外しがもはや可能でないという危険があるときに用いられる。すなわち、スリーブは石膏がカム２３の領域に入ってくるのを防止する。そして、それによって、アナログ１０をスリーブから縦方向に上方へ引き上げることができる。
【図１】
2016513508.tif 000003
【図２】
2016513508.tif 000004
【図３】
2016513508.tif 000005
【図４】
2016513508.tif 000006
【図５】
2016513508.tif 000007
【国際調査報告】
2016513508.tif 000008
2016513508.tif 000009
2016513508.tif 000010
2016513508.tif 000011